【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
無線送受信装置（ＷＴＲＵ）において実行される方法であって、前記方法は、
前記ＷＴＲＵと、前記ＷＴＲＵに現在サービス提供している高速ダウンリンク共有チャネル（ＨＳ−ＤＳＣＨ）セルとの間の無線リンクを介して、前記サービングＨＳ−ＤＳＣＨセルにて発生する媒体アクセス制御（ＭＡＣ）再構成を前記ＷＴＲＵへ通知するための無線リソース制御（ＲＲＣ）メッセージを受信するステップであって、前記ＲＲＣメッセージは、
高速ＭＡＣ（ＭＡＣ−ｈｓ）リセットインジケータと、
再構成後の前記ＨＳ−ＤＳＣＨセルによりサポートされるＭＡＣヘッダフォーマットを示す情報エレメント（ＩＥ）と、
再構成後の前記ＨＳ−ＤＳＣＨセルの前記ＭＡＣの構成情報を含む１または複数のＩＥと
を含む、ステップと、
前記ＭＡＣヘッダフォーマットが拡張ＭＡＣ−ｈｓ(ＭＡＣ−ｅｈｓ)構成に対応するという条件で、ＭＡＣ−ｈｓリセットを実行するステップと、
前記受信した構成情報にしたがって、ＭＡＣ−ｅｈｓ再構成を実行するステップと
を備えたことを特徴とする方法。
【請求項２】
前記ＷＴＲＵは、ＭＡＣ−ｈｓからＭＡＣ−ｅｈｓへの前記ＭＡＣ再構成が開始されたことを、前記ＲＲＣメッセージから判定することを特徴とする請求項１に記載の方法。
【請求項３】
前記ＷＴＲＵは、前記ＭＡＣ−ｅｈｓ再構成を実行する前に前記ＭＡＣ−ｈｓリセットを実行することを特徴とする請求項１に記載の方法。
【請求項４】
前記ＷＴＲＵの不特定の動作は、前記ＭＡＣ−ｈｓリセットインジケータが、前記ＲＲＣメッセージに含まれず、および前記ＭＡＣ−ｅｈｓ再構成が実行されなかった場合に発生することを特徴とする請求項１に記載の方法。
【請求項５】
前記ＷＴＲＵの不特定の動作は、再構成後の前記ＨＳ−ＤＳＣＨセルによりサポートされる前記ＭＡＣヘッダフォーマットが、前記ＷＴＲＵのＭＡＣの現在の構成に対応するという条件で発生することを特徴とする請求項１に記載の方法。
【請求項６】
無線送受信装置（ＷＴＲＵ）において、
サービング高速ダウンリンク共有チャネル（ＨＳ−ＤＳＣＨ）セルにて発生する媒体アクセス制御（ＭＡＣ）再構成をＷＴＲＵへ通知するための無線リソース制御（ＲＲＣ）メッセージを受信するように構成されたＲＲＣユニットであって、前記ＲＲＣメッセージは、前記ＷＴＲＵと、前記ＷＴＲＵに現在サービス提供している前記ＨＳ−ＤＳＣＨセルとの間の無線リンクを介して受信される、ＲＲＣユニットと、
ＭＡＣユニットであって、前記ＲＲＣメッセージを前記ＲＲＣユニットから受信し、前記ＲＲＣメッセージは、
高速ＭＡＣ（ＭＡＣ−ｈｓ）リセットインジケータと、
再構成後の前記ＨＳ−ＤＳＣＨセルによりサポートされるＭＡＣヘッダフォーマットを示す情報エレメント（ＩＥ）と、
再構成後の前記ＨＳ−ＤＳＣＨセルの前記ＭＡＣの構成情報を含む１または複数のＩＥと
を含み、
前記ＭＡＣヘッダフォーマットが拡張ＭＡＣ−ｈｓ(ＭＡＣ−ｅｈｓ)構成に対応するという条件で、ＭＡＣ−ｈｓリセットを実行し、
前記受信した構成情報にしたがって、ＭＡＣ−ｅｈｓ再構成を実行する
ように構成される、ＭＡＣユニットと
を備えたことを特徴とするＷＴＲＵ。
【請求項７】
前記ＷＴＲＵは、ＭＡＣ−ｈｓからＭＡＣ−ｅｈｓへの前記ＭＡＣ再構成が開始されたことを、前記ＲＲＣメッセージから判定することを特徴とする請求項６に記載のＷＴＲＵ。
【請求項８】
前記ＭＡＣユニットは、前記ＭＡＣ−ｅｈｓ再構成を実行する前に前記ＭＡＣ−ｈｓリセットを実行するように構成されることを特徴とする請求項６に記載のＷＴＲＵ。
【請求項９】
前記ＷＴＲＵの不特定の動作は、前記ＭＡＣ−ｈｓリセットインジケータが、前記ＲＲＣメッセージに含まれず、および前記ＭＡＣ−ｅｈｓ再構成が実行されなかった場合に発生することを特徴とする請求項６に記載のＷＴＲＵ。
【請求項１０】
前記ＷＴＲＵの不特定の動作は、再構成後の前記ＨＳ−ＤＳＣＨセルによりサポートされる前記ＭＡＣヘッダフォーマットが、前記ＷＴＲＵのＭＡＣの現在の構成に対応するという条件で発生することを特徴とする請求項６に記載のＷＴＲＵ。
【請求項１１】
無線送受信装置（ＷＴＲＵ）において実行される方法であって、前記方法は、
前記ＷＴＲＵと、前記ＷＴＲＵに現在サービング提供している高速ダウンリンク共有チャネル（ＨＳ−ＤＳＣＨ）セルとの間の無線リンクを介して、サービングＨＳ−ＤＳＣＨセルにて発生する媒体アクセス制御（ＭＡＣ）再構成を前記ＷＴＲＵへ通知するための無線リソース制御（ＲＲＣ）メッセージを受信するステップであって、前記ＲＲＣメッセージは、
拡張高速ＭＡＣ（ＭＡＣ−ｅｈｓ）リセットインジケータと、
再構成後の前記ＨＳ−ＤＳＣＨセルによりサポートされるＭＡＣヘッダフォーマットを示す情報エレメント（ＩＥ）と、
再構成後の前記ＨＳ−ＤＳＣＨセルの前記ＭＡＣの構成情報を含む１または複数のＩＥと
を含む、ステップと、
前記ＭＡＣヘッダフォーマットが高速ＭＡＣ（ＭＡＣ−ｈｓ）構成に対応するという条件で、ＭＡＣ−ｅｈｓリセットを実行するステップと、
前記受信した構成情報にしたがって、ＭＡＣ−ｈｓ再構成を実行するステップと
を備えたことを特徴とする方法。
【請求項１２】
前記ＷＴＲＵは、ＭＡＣ−ｅｈｓからＭＡＣ−ｈｓへの前記ＭＡＣ再構成が開始されたことを、前記ＲＲＣメッセージから判定することを特徴とする請求項１１に記載の方法。
【請求項１３】
前記ＷＴＲＵは、前記ＭＡＣ−ｈｓ再構成を実行する前に前記ＭＡＣ−ｅｈｓリセットを実行することを特徴とする請求項１１に記載の方法。
【請求項１４】
前記ＷＴＲＵの不特定の動作は、前記ＭＡＣ−ｅｈｓリセットインジケータが、前記ＲＲＣメッセージに含まれず、および前記ＭＡＣ−ｈｓ再構成が実行されなかった場合に発生することを特徴とする請求項１１に記載の方法。
【請求項１５】
前記ＷＴＲＵの不特定の動作は、再構成後の前記ＨＳ−ＤＳＣＨセルによりサポートされる前記ＭＡＣヘッダフォーマットが、前記ＷＴＲＵのＭＡＣの現在の構成に対応するという条件で発生することを特徴とする請求項１１に記載の方法。
【請求項１６】
サービング高速ダウンリンク共有チャネル（ＨＳ−ＤＳＣＨ）セルにて発生する媒体アクセス制御（ＭＡＣ）再構成を無線送受信装置（ＷＴＲＵ）へ通知するための無線リソース制御（ＲＲＣ）メッセージを受信するように構成されたＲＲＣユニットであって、前記ＲＲＣメッセージは、前記ＷＴＲＵと、前記ＷＴＲＵに現在サービング提供している前記ＨＳ−ＤＳＣＨセルとの間の無線リンクを介して受信される、ＲＲＣユニットと、
前記ＲＲＣメッセージを前記ＲＲＣユニットから受信し、前記ＲＲＣメッセージは、
拡張高速ＭＡＣ（ＭＡＣ−ｅｈｓ）リセットインジケータと、
再構成後の前記ＨＳ−ＤＳＣＨセルによりサポートされるＭＡＣヘッダフォーマットを示す情報エレメント（ＩＥ）と、
再構成後の前記ＨＳ−ＤＳＣＨセルの前記ＭＡＣの構成情報を含む１または複数のＩＥと
を含み、
前記ＭＡＣヘッダフォーマットが高速ＭＡＣ（ＭＡＣ−ｈｓ）構成に対応するという条件で、ＭＡＣ−ｅｈｓリセットを実行し、
前記受信した構成情報にしたがって、ＭＡＣ−ｈｓ再構成を実行する
ように構成されたＭＡＣユニットと
を備えたことを特徴とするＷＴＲＵ。
【請求項１７】
前記ＷＴＲＵは、ＭＡＣ−ｅｈｓからＭＡＣ−ｈｓへの前記ＭＡＣ再構成が開始されたことを、前記ＲＲＣメッセージから判定することを特徴とする請求項１６に記載のＷＴＲＵ。
【請求項１８】
前記ＭＡＣユニットは、前記ＭＡＣ−ｈｓ再構成を実行する前に前記ＭＡＣ−ｅｈｓリセットを実行するように構成されることを特徴とする請求項１６に記載のＷＴＲＵ。
【請求項１９】
前記ＷＴＲＵの不特定の動作は、前記ＭＡＣ−ｅｈｓリセットインジケータが、前記ＲＲＣメッセージに含まれず、および前記ＭＡＣ−ｈｓ再構成が実行されなかった場合に発生することを特徴とする請求項１６に記載のＷＴＲＵ。
【請求項２０】
前記ＷＴＲＵの不特定の動作は、再構成後の前記ＨＳ−ＤＳＣＨセルによりサポートされる前記ＭＡＣヘッダフォーマットが、前記ＷＴＲＵのＭＡＣの現在の構成に対応するという条件で発生することを特徴とする請求項１６に記載のＷＴＲＵ。